(57)【要約】【課題】空気調和機の室内機の筐体内にファンと熱交換器を合理的に配置して、スペース効率と熱交換効率を向上させる。【解決手段】空気調和機の室内機１は、正面に吹出口１２、上面に吸込口１３を有する上下方向に偏平な筐体１０を備える。筐体１０の内部には、吹出口１２の内側に吹出気流形成用のクロスフローファン２０が配置される。クロスフローファン２０の背後であって、吸込口１３の下となる位置にパラレルフロータイプ熱交換器３０が配置される。パラレルフロータイプ熱交換器３０を通過してクロスフローファン２０へと向かう気流中にフィンアンドチューブタイプ熱交換器４０が配置される。パラレルフロータイプ熱交換器３０とフィンアンドチューブタイプ熱交換器４０は、クロスローファン２０の側が高くなる傾斜状態で、クロスフローファン２０のファンケーシング２１の上下幅範囲内に配置される。【選択図】図１
2010133656.tif 000002
【特許請求の範囲】
【請求項１】
正面に吹出口、上面に吸込口を有する上下方向に偏平な筐体と、前記吹出口の内側に配置された吹出気流形成用クロスフローファンと、前記クロスフローファンの背後であって、前記吸込口の下となる位置に配置されたパラレルフロータイプ熱交換器を備え、前記パラレルフロータイプ熱交換器は、前記クロスローファンの側が高くなる傾斜状態で、クロスフローファンのファンケーシング上下幅範囲内に配置されることを特徴とする空気調和機の室内機。
【請求項２】
前記パラレルフロータイプ熱交換器の偏平チューブ間に配置されるフィンの密度は、前記クロスフローファンに近い側が相対的に密、遠い側が相対的に疎とされていることを特徴とする請求項１に記載の空気調和機の室内機。
【請求項３】
前記パラレルフロータイプ熱交換器の偏平チューブは前記クロスフローファンの軸線に平行するものであり、前記偏平チューブ同士の間隔は、前記クロスフローファンに近い側では相対的に狭く、遠い側では相対的に広くされていることを特徴とする請求項１または２に記載の空気調和機の室内機。
【請求項４】
前記パラレルフロータイプ熱交換器を通過して前記クロスフローファンへと向かう気流中にフィンアンドチューブタイプ熱交換器が配置されていることを特徴とする請求項１から３のいずれか１項に記載の空気調和機の室内機。
【請求項５】
冷房時、冷媒は前記フィンアンドチューブタイプ熱交換器を流れてから前記パラレルフロータイプ熱交換器に流入することを特徴とする請求項４に記載の空気調和機の室内機。
【請求項６】
冷房時、冷媒は前記フィンアンドチューブタイプ熱交換器の下部に設けた冷媒流出口より前記パラレルフロータイプ熱交換器の下部ヘッダパイプに流入することを特徴とする請求項５に記載の空気調和機の室内機。
【発明の詳細な説明】
【技術分野】
【０００１】
本発明は空気調和機の室内機に関する。
【背景技術】
【０００２】
空気調和機では、フィンアンドチューブタイプ、パラレルフロータイプ、サーペンタインタイプといった種類の熱交換器が用いられる。フィンアンドチューブタイプは、多数の平行するフィンを１本のチューブが蛇行しつつ貫通する形のものであって、一般的に良く用いられている。パラレルフロータイプは、２本のヘッダパイプの間に複数の偏平チューブを配置して偏平チューブ内部の冷媒通路をヘッダパイプの内部に連通させるとともに、偏平チューブ間にコルゲートフィン等のフィンを配置したものである。サーペンタインタイプは、２本のヘッダパイプの間に偏平チューブを配置するところまではパラレルフロータイプと同じであるが、偏平チューブの数が１本であり、この１本の偏平チューブが蛇行し、蛇行する偏平チューブの間にコルゲートフィン等のフィンが配置されている。特許文献１にはパラレルフロータイプ熱交換器を用いた空気調和機が記載されている。
【０００３】
熱交換器ユニットでは、熱交換量を多くするため、複数の熱交換器を前後して通風路中に配置するということもしばしば行われる。特許文献２にはパラレルフロータイプやサーペンタインタイプの熱交換器を２台以上平行に配置する構成が記載されている。特許文献３にはフィンアンドチューブタイプの熱交換器を前後して複数列配置する構成が記載されている。
【０００４】
空気調和機の熱交換器では、それを通り抜ける気流の風速が、一般的に、送風機に近い箇所では大となり、送風機から遠い箇所では小となる。このように風速分布に偏りが生じると、風速の遅い箇所での熱交換効率が低下し、風速の速い箇所では熱交換効率は高まるものの騒音が大きくなり、好ましくない。そのため、気流がフィンを通り抜ける際の通り抜けやすさを場所によって変え、風速を均一化しようという提案がなされている。例えば特許文献４には、送風機から近い側にフィン間隔の狭い熱交換器を設置し、送風機から遠い側にフィン間隔の広い熱交換器を設置し、これらの熱交換器間に流路抵抗差をつけた冷却装置が記載されている。特許文献５には、フィンアンドチューブタイプ熱交換器のフィン間隔を、クロスフローファンに近い部分を密とし、クロスフローファンより離れた部分を疎とした熱交換器の送風装置が記載されている。特許文献６には、サイドフローのパラレルフロータイプ熱交換器を熱交換用空気の流れ方向に対して傾斜状に配置し、この熱交換器の熱交換部の空気流通抵抗を、風上側で相対的に大に、風下側で相対的に小に設定した構成が記載されている。
【特許文献１】特開２００１−６６０８３号公報
【特許文献２】特開２００５−５５１０８号公報
【特許文献３】特開平７−１９８１６６号公報
【特許文献４】特開昭５９−１６１６８７号公報
【特許文献５】特開昭５９−２１０２９９号公報
【特許文献６】特許第２９０１３３８号公報
【発明の開示】
【発明が解決しようとする課題】
【０００５】
本発明は、空気調和機の室内機の筐体内にファンと熱交換器を合理的に配置して、スペース効率と熱交換効率を向上させることを目的とする。
【課題を解決するための手段】
【０００６】
上記目的を達成するために本発明に係る空気調和機の室内機は、正面に吹出口、上面に吸込口を有する上下方向に偏平な筐体と、前記吹出口の内側に配置された吹出気流形成用クロスフローファンと、前記クロスフローファンの背後であって、前記吸込口の下となる位置に配置されたパラレルフロータイプ熱交換器を備え、前記パラレルフロータイプ熱交換器は、前記クロスローファンの側が高くなる傾斜状態で、クロスフローファンのファンケーシング上下幅範囲内に配置されることを特徴としている。
【０００７】
この構成によると、パラレルフロータイプ熱交換器は、クロスローファンの側が高くなる傾斜状態で、クロスフローファンのファンケーシング上下幅範囲内に配置されるから、空気調和機の室内機を、上下の厚みの少ない、コンパクトな形状にまとめることができる。
【０００８】
上記構成の空気調和機の室内機において、前記パラレルフロータイプ熱交換器の偏平チューブ間に配置されるフィンの密度は、前記クロスフローファンに近い側が相対的に密、遠い側が相対的に疎とされていることが好ましい。
【０００９】
このような構成にすれば、パラレルフロータイプ熱交換器の中でも風速が速くなりやすいクロスフローファンに近い側の空気流通抵抗が相対的に大きくなり、逆に風速が遅くなりやすいクロスフローファンから遠い側では空気流通抵抗が相対的に小さくなるから、風速分布の偏りが是正され、全体としての熱交換効率が向上する。
【００１０】
上記構成の空気調和機の室内機において、前記パラレルフロータイプ熱交換器の偏平チューブは前記クロスフローファンの軸線に平行するものであり、前記偏平チューブ同士の間隔は、前記クロスフローファンに近い側では相対的に狭く、遠い側では相対的に広くされていることが好ましい。
【００１１】
このような構成にすれば、パラレルフロータイプ熱交換器の中でも風速が速くなりやすいクロスフローファンに近い側の空気流通抵抗が相対的に大きくなり、逆に風速が遅くなりやすいクロスフローファンから遠い側では空気流通抵抗が相対的に小さくなるから、風速分布の偏りが是正され、全体としての熱交換効率が向上する。
【００１２】
上記構成の空気調和機の室内機において、前記パラレルフロータイプ熱交換器を通過して前記クロスフローファンへと向かう気流中にフィンアンドチューブタイプ熱交換器が配置されていることが好ましい。
【００１３】
このような構成にすれば、熱交換器がパラレルフロータイプ熱交換器とフィンアンドチューブタイプ熱交換器の二重構えとなっていることにより、室内空気との熱交換を十分に行うことができる。
【００１４】
上記構成の空気調和機の室内機において、冷房時、冷媒は前記フィンアンドチューブタイプ熱交換器を流れてから前記パラレルフロータイプ熱交換器に流入することが好ましい。
【００１５】
このような構成にすれば、冷媒はパラレルフロータイプ熱交換器に至るまでに徐々に蒸発するため、パラレルフロータイプ熱交換器には乾き度の大きい冷媒が流入する。パラレルフロータイプ熱交換器は冷媒を分配するチューブ本数が多いため、乾き度の大きい冷媒であると冷媒の流れが偏って各チューブに均等に流れず、熱交換器全体での温度分布が不均一になる可能性がある。これに対しフィンアンドチューブ型タイプ熱交換器は、流入するのが乾き度の小さい冷媒である上、冷媒を分配するチューブ本数が少ないため、冷媒の流れの偏りが生じにくく、熱交換器全体の温度分布を均一化することができる。クロスフローファンに吸い込まれる空気の温度が均一でなく、クロスフローファンの特定部位には十分に冷却された空気が吸い込まれ、他の部位には冷却の不十分な空気が吸い込まれるといった状況下では、十分に冷却された空気によりクロスフローファンが冷却され、クロスフローファンの熱伝導によりクロスフローファン全体が冷却される。ここに冷却の不十分な空気が当たることから、クロスフローファンに結露が生じ、その露が室内機から吹き出す空気に乗って飛散し、使用者に不快感を与えることがある。本発明の構成のようにすれば、パラレルフロータイプ熱交換器で偏流が発生し、温度分布に偏りが生じたとしても、クロスフローファンのいずれの部位に吸い込まれる空気も直前にフィンアンドチューブタイプ熱交換器で熱交換されるため、冷却の不十分な空気が冷却され、上述したクロスフローファンの結露の問題を回避することができる。
【００１６】
上記構成の空気調和機の室内機において、冷房時、冷媒は前記フィンアンドチューブタイプ熱交換器の下部に設けた冷媒流出口より前記パラレルフロータイプ熱交換器の下部ヘッダパイプに流入することが好ましい。
【００１７】
このような構成にすれば、フィンアンドチューブタイプ熱交換器とパラレルフロータイプ熱交換器を接続するパイプやチューブを、フィンアンドチューブタイプ熱交換器の上部からパラレルフロータイプ熱交換器下部まで導く構成よりも短くすることができ、資材量を削減することができる。また、パラレルフロータイプ熱交換器において、蒸発器として使用する際に、上部ヘッダパイプから冷媒が流入することとすると、流入部に近い方の偏平チューブに冷媒の流れが偏る、いわゆる偏流が生じやすいが、本発明のように下部ヘッダチューブから冷媒が流入する構成では、各偏平チューブへの冷媒の分流が良好に行われ、偏流が生じにくい。そのため熱交換性能を良好に保つことができる。
【発明の効果】
【００１８】
本発明によると、クロスフローファン、パラレルフロータイプ熱交換器、フィンアンドチューブタイプ熱交換器の三者の配置を工夫することにより、熱交換効率が高く、それでいて上下の厚みの少ないコンパクトな形状の空気調和機の室内機を得ることができる。
【発明を実施するための最良の形態】
【００１９】
以下本発明の第１実施形態を図１及び図２に基づき説明する。図１は空気調和機の室内機の概略構成を示す断面図、図２は熱交換器ユニットの模式的概略構成図である。
【００２０】
空気調和機の室内機１は、上下方向に偏平な直方体形状の筐体１０を備える。筐体１０は、その背面に固定されたベース１１により図示しない室内壁面に取り付けられるものである。筐体１０は正面に吹出口１２を有し、上面には複数のスリットの集合または格子状に区切られた開口からなる吸込口１３を有する。吹出口１２にはカバー１４と風向板１５が設けられる。カバー１４も風向板１５も垂直面内で回動し、運転時には図１に示す水平姿勢（開いた状態）となり、運転停止時には垂直姿勢（閉じた状態）となるものである。吸込口１３の内側には吸い込む空気に含まれる塵埃を捕集するフィルタ１６が配置される。
【００２１】
吹出口１２の内側には吹出気流形成用のクロスフローファン２０が軸線を水平にして配置される。クロスフローファン２０はファンケーシング２１に収容され、図示しない電動機により図１の矢印方向に回転して、吸込口１３から流入し吹出口１２から吹き出される気流を形成する。
【００２２】
クロスフローファン２０の背後に熱交換器ユニットＵ１が配置される。熱交換器ユニットＵ１は、吸込口１３の下となる位置に配置されたパラレルフロータイプ熱交換器３０と、ダウンフロータイプのパラレルフロータイプ熱交換器３０（以下、単にパラレルフロータイプ熱交換器３０と呼ぶこともある）を通過してクロスフローファン２０へと向かう気流中に配置されたフィンアンドチューブタイプ熱交換器４０からなる。クロスフローファン２０は軸線を水平にして配置されている。パラレルフロータイプ熱交換器３０とフィンアンドチューブタイプ熱交換器４０は、いずれもクロスローファン２０の側が高くなる傾斜状態で、パラレルフロータイプ熱交換器３０を上、フィンアンドチューブタイプ熱交換器４０を下として、クロスフローファン２０のファンケーシング２１の上下幅範囲内に配置される。
【００２３】
パラレルフロータイプ熱交換器３０は、上部ヘッダパイプ３１と下部ヘッダパイプ３２を互いに間隔を置いてそれぞれ水平に、すなわち互いに平行する形で配置し、上部ヘッダパイプ３１と下部ヘッダパイプ３２の間に上下方向に延びる偏平チューブ３３を所定ピッチで複数配置したものである。偏平チューブ３３はアルミニウム等熱伝導の良い金属を押出成型した細長い成型品であり、内部には冷媒を流通させる冷媒通路３４が形成されている。冷媒通路３４の一構成例では、断面形状及び断面面積の等しいものが図２の奥行き方向に複数個並び、そのため偏平チューブ３３はハーモニカのような断面を呈している。各冷媒通路３４は上部ヘッダパイプ３１及び下部ヘッダパイプ３２の内部に連通する。
【００２４】
隣り合う偏平チューブ３３同士の間にはコルゲートフィン３５が配置される。上部ヘッダパイプ３１及び下部ヘッダパイプ３２と偏平チューブ３３、及び偏平チューブ３３とコルゲートフィン３５はそれぞれロウ付けまたは溶着により固定される。偏平チューブ３３の他、上部ヘッダパイプ３１、下部ヘッダパイプ３２、及びコルゲートフィン３５もアルミニウム等熱伝導の良い金属からなる。
【００２５】
上部ヘッダパイプ３１と下部ヘッダパイプ３２の間に多数の偏平チューブ３３を設け、偏平チューブ３３間にコルゲートフィン３５を設けた構造であるから、パラレルフロータイプ熱交換器３０の放熱（吸熱）面積は大きく、効率的に熱交換を行うことができる。図１の配置状態では、クロスフローファン２０に近い、高くなった側に上部ヘッダパイプ３１が位置し、クロスフローファン２０から遠い、低くなった側に下部ヘッダパイプ３２が位置している。
【００２６】
コルゲートフィン３５の密度（この場合、コルゲートフィン３５の襞の間隔あるいは山−谷ピッチを「密度」とする）は場所によって異なる。すなわち、クロスフローファン２０に近い側、すなわち上部ヘッダパイプ３１に近い側は密度が相対的に密となり、クロスフローファン２０から遠い側、すなわち下部ヘッダパイプ３２に近い側は密度が相対的に疎となっている。この構成により、パラレルフロータイプ熱交換器３０の中でも風速が速くなりやすいクロスフローファン２０に近い側の空気流通抵抗が相対的に大きくなり、逆に風速が遅くなりやすいクロスフローファン２０から遠い側では空気流通抵抗が相対的に小さくなるから、風速分布の偏りが是正され、全体としての熱交換効率が向上する。
【００２７】
フィンアンドチューブタイプ熱交換器４０は多数のフィン４１と１本の蛇行するチューブ４２を備える。個々のフィン４１は上下方向を長手方向とする短冊形状であり、それが多数、互いの間に所定の隙間を置いて水平方向に並んでいる。このフィン４１の集団をチューブ４２が、上から下へと蛇行して縫うように貫通する。チューブ４２の内部は冷媒を流通させる冷媒通路４３となる。またチューブ４２は上の方の端に蒸発器として用いる場合の冷媒流入口４４、下の方の端に冷媒流出口４５を有する。フィン４１とチューブ４２はアルミニウム、銅等熱伝導の良い金属からなり、チューブ４２を拡管することによる圧着で固定される。
【００２８】
図１の配置状態では、クロスフローファン２０に近い、高くなった側に冷媒流入口４４が位置し、クロスフローファン２０から遠い、低くなった側に冷媒流出口４５が位置する。そしてフィンアンドチューブタイプ熱交換器４０は、パラレルフロータイプ熱交換器３０の平面投影に隠れる位置で、ファンケーシング２１の吸込口２１ａをカバーするように配置されている。
【００２９】
パラレルフロータイプ熱交換器３０は、それが蒸発器として用いられる場合、すなわち
冷房時には、下部ヘッダパイプ３２から冷媒が流入する。冷媒は偏平チューブ３３を上昇する間に蒸発し、上部ヘッダパイプ３１から流出する。下部ヘッダパイプ３２の一端にはフィンアンドチューブタイプ熱交換器４０の冷媒流出口４５に接続する冷媒流入口３６が設けられている。上部ヘッダパイプ３１には、冷媒流入口３６と対角をなす端に、冷媒流出口３７が設けられている。図３の変形実施態様のように、冷媒流出口３７を冷媒流入口３６と同じ側に設けてもよい。なお図２の構成でも図３の構成でも、フィンアンドチューブタイプ熱交換器４０の冷媒流入口４４とパラレルフロータイプ熱交換器３０の冷媒流出口３７が同じ側に配置されていることが好ましい。
【００３０】
熱交換器ユニットＵ１を蒸発器として使用する場合、すなわち冷房時には、フィンアンドチューブタイプ熱交換器４０の冷媒流入口４４から冷媒が流入する。冷媒は冷媒通路４３を通る間に蒸発し、周囲の空気から熱を奪う。フィンアンドチューブタイプ熱交換器４０を通り抜けた冷媒はパラレルフロータイプ熱交換器３０の冷媒流入口３６から下部ヘッダパイプ３２に入り、偏平チューブ３３の冷媒通路３４を上昇する。冷媒通路３４を上昇する過程で冷媒はさらに蒸発して周囲の空気から熱を奪う。最終的に冷媒は上部ヘッダパイプ３１に入り、冷媒流出口３７から流出する。
【００３１】
冷房時、冷媒はフィンアンドチューブタイプ熱交換器４０を流れてからパラレルフロータイプ熱交換器３０に流入する。冷媒はパラレルフロータイプ熱交換器３０に至るまでに徐々に蒸発するため、パラレルフロータイプ熱交換器３０には乾き度の大きい冷媒が流入する。パラレルフロータイプ熱交換器３０は冷媒を分配する偏平チューブ３３の本数が多いため、乾き度の大きい冷媒であると冷媒の流れが偏って各偏平チューブ３３に均等に流れず、熱交換器全体での温度分布が不均一になる可能性がある。これに対しフィンアンドチューブ型タイプ熱交換器４０は、流入するのが乾き度の小さい冷媒である上、冷媒を分配するチューブ４２の本数が少ないため、冷媒の流れの偏りが生じにくく、熱交換器全体の温度分布を均一化することができる。
【００３２】
クロスフローファン２０に吸い込まれる空気の温度が均一でないと、クロスフローファン２０の特定部位には十分に冷却された空気が吸い込まれ、他の部位には冷却の不十分な空気が吸い込まれるといった現象が生まれる。クロスフローファン２０の内部の熱伝導により、十分に冷却された空気が当たる部位に熱が逃げて行くから、冷却の不十分な空気が吸い込まれる部位でも、クロスフローファン２０自体はかなり冷却された状態になる。ここに冷却の不十分な空気が当たると、その中に含まれる水分がクロスフローファン２０の表面に結露し、その露が吹出口１２から吹き出す空気に乗って飛散し、使用者に不快感を与えることがある。実施形態１の構成では、クロスフローファン２０のいずれの部位に吸い込まれる空気も直前にフィンアンドチューブタイプ熱交換器４０で熱交換されるため、上述したクロスフローファン２０の結露の問題を回避することができる。
【００３３】
熱交換器ユニットＵ１を蒸発器として使用する際の冷媒の流れを見た場合、冷媒はフィンアンドチューブタイプ熱交換器４０の上部から下部へと流れ、下部に設けた冷媒流出口４５よりパラレルフロータイプ熱交換器３０の下部ヘッダパイプ３２に流入する。このため、フィンアンドチューブタイプ熱交換器４０とパラレルフロータイプ熱交換器３０を接続するパイプやチューブを、フィンアンドチューブタイプ熱交換器４０の上部からパラレルフロータイプ熱交換器３０の下部まで導く構成よりも短くすることができ、資材量を削減することができる。また、パラレルフロータイプ熱交換器３０で上部ヘッダパイプ３１から冷媒が流入すると、流入部に近い方の偏平チューブ３３に冷媒の流れが偏る、いわゆる偏流が生じやすいが、下部ヘッダチューブ３２から冷媒が流入する構成であれば、各偏平チューブ３３への冷媒の分流が良好に行われ、偏流が生じにくい。そのため熱交換性能を良好に保つことができる。
【００３４】
パラレルフロータイプ熱交換器は、上部ヘッダパイプと下部ヘッダパイプの間に上下方向に延びる複数の偏平チューブを配置する構成のものに限定されない。上下方向に延びるヘッダパイプを左右両端に配置し、その間に複数の水平な偏平チューブを配置した、サイドフロータイプのパラレルフロータイプ熱交換器であってよい。そのようにした構成例を第２実施形態として図４に示す。図４は第２実施形態に係る熱交換器ユニットの模式的概略構成図である。
【００３５】
図４に示す熱交換器ユニットＵ２は、サイドフロータイプのパラレルフロータイプ熱交換器５０（以下、単にパラレルフロータイプ熱交換器５０と呼ぶこともある）をフィンアンドチューブタイプ熱交換器４０に組み合わせている。パラレルフロータイプ熱交換器５０は、上下方向に延びる左ヘッダパイプ５１Ｌと右ヘッダパイプ５１Ｒを互いに間隔を置いて平行に配置し、左ヘッダパイプ５１Ｌと右ヘッダパイプ５１Ｒの間に水平方向に延びる（すなわちクロスフローファン２０の軸線に平行に延びる）偏平チューブ５２を所定ピッチで複数配置したものである。偏平チューブ５２はアルミニウム等熱伝導の良い金属を押出成型した細長い成型品であり、内部には冷媒を流通させる冷媒通路５３が形成されている。冷媒通路５３の一構成例では、断面形状及び断面面積の等しいものが図４の奥行き方向に複数個並び、そのため偏平チューブ５２はハーモニカのような断面を呈している。各冷媒通路５３は左ヘッダパイプ５１Ｌ及び右ヘッダパイプ５１Ｒの内部に連通する。
【００３６】
隣り合う偏平チューブ５２同士の間にはコルゲートフィン５４が配置される。左ヘッダパイプ５１Ｌ及び右ヘッダパイプ５１Ｒと偏平チューブ５２、及び偏平チューブ５２とコルゲートフィン５４はそれぞれロウ付けまたは溶着により固定される。偏平チューブ５２の他、左ヘッダパイプ５１Ｌ、右ヘッダパイプ５１Ｒ、及びコルゲートフィン５４もアルミニウム等熱伝導の良い金属からなる。
【００３７】
パラレルフロータイプ熱交換器５０は、図４の上側の部位がクロスフローファン２０に近く、高くなり、図４の下側の部位がクロスフローファン２０から遠く、低くなるように傾斜した状態で配置される。左ヘッダパイプ５１Ｌには、クロスフローファン２０から遠い、低くなった箇所に冷媒流入口５５が形成され、クロスフローファン２０に近い、高くなった箇所に冷媒流出口５６が形成される。
【００３８】
コルゲートフィン５４の密度は、クロスフローファン２０に近い側、すなわち冷媒流出口５６に近い側が相対的に密となり、クロスフローファン２０から遠い側、すなわち冷媒流入口５５に近い側が相対的に疎となっている。この構成により、パラレルフロータイプ熱交換器５０の中でも風速が速くなりやすいクロスフローファン２０に近い側の空気流通抵抗が相対的に大きくなり、逆に風速が遅くなりやすいクロスフローファン２０から遠い側では空気流通抵抗が相対的に小さくなるから、風速分布の偏りが是正され、全体としての熱交換効率が向上する。
【００３９】
左ヘッダパイプ５１Ｌの内部には、下端から所定距離上昇した位置に隔壁５７ａが形成され、そこからさらに所定距離上昇した位置に隔壁５７ｂが形成される。右ヘッダパイプ５１Ｒの内部には、下端から所定距離上昇した位置に隔壁５７ｃが形成される。隔壁５７ｃは隔壁５７ａと５７ｂの中間の高さに設けられており、その結果、パラレルフロータイプ熱交換器５０は上下方向に４個の区間に区分されることになる。すなわち、下端から隔壁５７ａまでの第１区間５８Ａと、隔壁７４ａから隔壁５７ｃまでの第２区間５８Ｂと、隔壁５７ｃから隔壁５７ｂまでの第３区間５８Ｃと、隔壁５７ｂから上端までの第４区間５８Ｄである。
【００４０】
冷房運転時、すなわち熱交換器ユニットＵ２を蒸発器として使用する場合、フィンアンドチューブタイプ熱交換器４０から冷媒流入口５５を通じて左ヘッダパイプ５１Ｌに流入した冷媒は、第１区間５８Ａを左から右に抜け、続いて第２区間５８Ｂを右から左に抜け、続いて第３区間５８Ｃを左から右に抜け、最後に第４区間５８Ｄを右から左に抜けて、冷媒流出口５６より流出する。このように冷媒はパラレルフロータイプ熱交換器５０の内部をジグザグの軌跡を描いて上昇する間に室内空気から熱を取り込んで蒸発する。
【００４１】
図５に第２実施形態の第１変形実施態様を示す。図４の構成では偏平チューブ５２の間隔が均等になっているが、図５のように間隔不等にすることもできる。図５の構成では、第１区間５８Ａに含まれる偏平チューブ５２同士の間隔と、第１区間５８Ａと第２区間５８Ｂの境界で隣り合う偏平チューブ５２同士の間隔が最も広くなっている。第２区間５８Ｂに含まれる偏平チューブ５２同士の間隔と、第２区間５８Ｂと第３区間５８Ｃの境界で隣り合う偏平チューブ５２同士の間隔は少し狭くなる。第３区間５８Ｃに含まれる偏平チューブ５２同士の間隔と、第３区間５８Ｃと第４区間５８Ｄの境界で隣り合う偏平チューブ５２同士の間隔はさらに狭くなる。第４区間５８Ｄに含まれる偏平チューブ５２同士の間隔は最も狭くなる。コルゲートフィン５４の密度が、クロスフローファン２０に近い側、すなわち冷媒流出口５６に近い側が相対的に密となり、クロスフローファン２０から遠い側、すなわち冷媒流入口５５に近い側が相対的に疎となっていることと合わせ、パラレルフロータイプ熱交換器５０の中でも風速が速くなりやすいクロスフローファン２０に近い側の空気流通抵抗が相対的に大きくなり、逆に風速が遅くなりやすいクロスフローファン２０から遠い側では空気流通抵抗が相対的に小さくなるから、風速分布の偏りが是正され、全体としての熱交換効率が向上する。
【００４２】
図６に第２実施形態の第２変形実施態様を示す。第２変形実施態様は、第１変形実施態様からコルゲートフィン５４を取り除き、フィンレスとしたものである。第２変形実施態様では、専ら偏平チューブ５２同士の間隔の広狭により、すなわち偏平チューブ５２同士の間隔を、クロスフローファン２０に近い側では相対的に狭く、遠い側では相対的に広くしたことにより、パラレルフロータイプ熱交換器５０の中でも風速が速くなりやすいクロスフローファン２０に近い側の空気流通抵抗を相対的に大きくし、逆に風速が遅くなりやすいクロスフローファン２０から遠い側では空気流通抵抗を相対的に小さくして、風速分布の偏りを是正し、全体としての熱交換効率を向上させている。
【００４３】
以上、本発明の実施形態につき説明したが、本発明の範囲はこれに限定されるものではなく、発明の主旨を逸脱しない範囲で種々の変更を加えて実施することができる。
【産業上の利用可能性】
【００４４】
本発明は空気調和機の室内機に広く利用可能である。
【図面の簡単な説明】
【００４５】
【図１】空気調和機室内機の第１実施形態の概略構成を示す断面図
【図２】第１実施形態に係る熱交換器ユニットの模式的概略構成図
【図３】第１実施形態の変形実施態様に係る熱交換器ユニットの模式的概略構成図
【図４】第２実施形態に係る熱交換器ユニットの模式的概略構成図
【図５】第２実施形態の第１変形実施態様に係る熱交換器ユニットの模式的概略構成図
【図６】第２実施形態の第２変形実施態様に係る熱交換器ユニットの模式的概略構成図
【符号の説明】
【００４６】
１    室内機
１０  筐体
１１  ベース
１２  吹出口
１３  吸込口
２０  クロスフローファン
２１  ファンケーシング
Ｕ１、Ｕ２  熱交換器ユニット
３０  パラレルフロータイプ熱交換器
３１  上部ヘッダパイプ
３２  下部ヘッダパイプ
３３  偏平チューブ
３４  冷媒通路
３５  コルゲートフィン
４０  フィンアンドチューブタイプ熱交換器
４１  フィン
４２  チューブ
４３  冷媒通路
５０  パラレルフロータイプ熱交換器
５１Ｌ  左ヘッダパイプ
５１Ｒ  右ヘッダパイプ
５２  偏平チューブ
５３  冷媒通路
５４  コルゲートフィン
【図１】
2010133656.tif 000003
【図２】
2010133656.tif 000004
【図３】
2010133656.tif 000005
【図４】
2010133656.tif 000006
【図５】
2010133656.tif 000007
【図６】
2010133656.tif 000008